(57)【要約】      （修正有）【課題】ＡＣ／ＤＣアダプター以外にも車両のシガーライターソケットをはじめとする種々の外部電源入力を着脱自在にし、ＡＵＸライン入出力も使いやすくし、フレキシブルかつ、ポータブル性を備えるマイクロホンミキシング装置を提供する。【解決手段】マイクロホンの出力に繋がるマイクロホン入力を有するマイクロホン入力手段と、マイクロホン入力を複数設備し、マイクロホンを複数接続しても増幅機能を有するマイクアンプ５と、前記マイクロホン入力に個々に設けられるボリューム調整と、フレキシブルに、コンテンツ，カラオケ用ソフト，ポータブルプレイヤー等に繋がるＡＵＸライン入力・ＡＵＸライン出力を有するＡＵＸライン手段と、電源の手段に内部電源手段と、外部電源の出力に繋がる外部電源入力を有する外部電源入力手段とを備え、設定入力幅範囲内に対し一定出力電圧を得るための素子である必要定電圧に変換する為の電源安定装置３を備える。【選択図】図５
0003158381.tif 000002
【実用新案登録請求の範囲】
【請求項１】
マイクロホンの出力に繋がるマイクロホン入力を有するマイクロホン入力手段と、マイ
クロホン入力を複数設備し、マイクロホンを複数接続しても増幅機能を有するマイクアン
プと、前記マイクロホン入力に個々に設けられるボリューム調整と、フレキシブルに、コ
ンテンツ，カラオケ用ソフト，ポータブルプレイヤー等に繋がるＡＵＸライン入力・ＡＵ
Ｘライン出力を有するＡＵＸライン手段と、電源の手段に内部電源手段と、外部電源の出
力に繋がる外部電源入力を有する外部電源入力手段とを備え、設定入力幅範囲内に対し一
定出力電圧を得るための素子である必要定電圧に変換する為の電源安定装置を備えること
を特徴とするマイクロホンミキシング装置。
【請求項２】
前記外部電源入力手段において、前記外部電源入力に接続されるＡＣ／ＤＣアダプター
等の出力を有する前記外部電源同様に、車両のシガーライターソケット，充電池，蓄電池
等のような、ポータブル性を備える種々の前記外部電源をフレキシブルに着脱可能にして
いることを特徴とする請求項1記載のマイクロホンミキシング装置。
【請求項３】
前記マイクロホン入力を有する前記マイクロホン入力手段において、前記マイクロホン
の出力（挿入部）の接続又は未接続を検知し、前記マイクロホンミキシング装置の電源の
オンオフ状態を切替える機能を有するマイクロホン挿入検知スイッチを備えることを特徴
とする請求項1又は請求項２記載のマイクロホンミキシング装置。
【請求項４】
前記外部電源入力を有する前記外部電源入力手段において、前記外部電源の出力（挿入
部）の接続又は未接続を検知し、前記内部電源と前記外部電源の電源供給元を切替える機
能を有する外部電源挿入検知スイッチを備えることを特徴とする請求項１ないし請求項３
のうちいずれか1つに記載のマイクロホンミキシング装置。
【請求項５】
前記ボリューム調整において、スライド抵抗よりスペースをとらない可変抵抗器のひと
つである回転式のボリュームを備えることを特徴とする請求項１ないし請求項４のうちい
ずれか1つに記載のマイクロホンミキシング装置。
【請求項６】
前記ＡＵＸライン手段において、前記ＡＵＸライン入力と前記ＡＵＸライン出力それぞ
れにＲＣＡジャックの半分のサイズのミニジャックを備えることを特徴とする請求項１な
いし請求項５のうちいずれか1つに記載のマイクロホンミキシング装置。
【請求項７】
前記マイクロホン入力手段において、前記マイクロホン入力にフォーンミニジャックを
備えることを特徴とする請求項１ないし請求項６のうちいずれか1つに記載のマイクロホ
ンミキシング装置。
【請求項８】
前記外部電源入力手段において、前記外部電源入力にＤＣ電源ミニジャックを備えるこ
とを特徴とする請求項１ないし請求項７のうちいずれか1つに記載のマイクロホンミキシ
ング装置。
【請求項９】
前記外部電源入力手段において、前記外部電源入力に接続される前記外部電源の出力に
、ＤＣ電源ミニプラグを備えることを特徴とする請求項１ないし請求項８のうちいずれか
1つに記載のマイクロホンミキシング装置。
【考案の詳細な説明】
【技術分野】
【０００１】
本考案は、マイクロホンミキシング装置に関し、特にカラオケ等にも使えられるように
しフレキシブルかつコンパクト、さらにポータブル化に関する。
【背景技術】
【０００２】
近年マイク装置の拡張はマイクロホンミキシングを使用したものが主流となっている。
従来のマイアンプを備えるマイクロホンミキシング装置は、業務用，オーディオ機器用，
ＡＶ機器用，コンテンツ用等に特化したものが知られている。
【考案の概要】
【考案が解決しようとする課題】
【０００３】
上記のように、従来のマイクアンプを備えるマイクロホンミキシング装置では、構成的
体積的に持ち運びに困難であり場所をとる等、使い勝手が良くない等の種々の問題点を有
していた。すなわちカラオケや、車の中等で使用出来るものがなかった。そこで、カラオ
ケ等にも使えられるようにし、フレキシブルかつコンパクト、さらにポータブル性を備え
るマイクロホンミキシング装置を提供することを目的とする。
【課題を解決するための手段】
【０００４】
従来の複雑な構成をなす種々のマイクロホンミキシング装置より、本考案の課題に対し
必要な部分だけを取り出したもの（抜き出したもの）が、請求項１記載の、マイクロホン
の出力に繋がるマイクロホン入力を有するマイクロホン入力手段と、マイクロホン入力を
複数設備し、マイクロホンを複数接続しても増幅機能を有するマイクアンプと、前記マイ
クロホン入力に個々に設けられたボリューム調整と、フレキシブルに、コンテンツ，カラ
オケ用ソフト，ポータブルプレイヤー等に繋がるＡＵＸライン入力・ＡＵＸライン出力を
有するＡＵＸライン手段と、電源の手段に内部電源手段と、外部電源の出力に繋がる外部
電源入力を有する外部電源入力手段とである。本考案は前記課題を解決する為になされた
ものである。
【０００５】
請求項１で備えた電源安定装置以外は、上記に示す本考案の課題に対し必要な部分だけ
を取り出したものであり、いずれかに特化した構成でない為大幅な簡素化が出来る。また
見栄えを良くすることも可能になる。これらによりコンパクト化、つまりポータブル性を
備えることが可能になる。
【０００６】
本考案によれば、請求項１記載のマイクロホンミキシング装置は、マイクロホンの出力
に繋がるマイクロホン入力を有するマイクロホン入力手段と、マイクロホン入力を複数設
備し、マイクロホンを複数接続しても増幅機能を有するマイクアンプと、前記マイクロホ
ン入力に個々に設けられるボリューム調整と、フレキシブルに、コンテンツ，カラオケ用
ソフト，ポータブルプレイヤー等に繋がるＡＵＸライン入力・ＡＵＸライン出力を有する
ＡＵＸライン手段と、電源の手段に内部電源手段と、外部電源の出力に繋がる外部電源入
力を有する外部電源入力手段とを備え、設定入力幅範囲内に対し一定出力電圧を得るため
の素子である必要定電圧に変換する為の電源安定装置を備えることを特徴としている。
【０００７】
電源安定装置を備えたことにより、設定入力幅範囲内に対し、種々の電圧の異なる外部
電源より入力された電圧を必要定電圧に整流し、出力することが可能になる。装置本体に
おいて、電圧の異なる種々の外部電源からの電力供給を受ける（電気的な動作としての状
態）状態が可能になる。（図８参照）
【０００８】
内部電源は、必要定電圧を出力するものであれば、乾電池、年々小型軽量化にある蓄電
池（バッテリー）や充電池等いずれのものであっても良い。ただし、必要定電圧出力を有
しない内部電源４であれば、電源安定装置３を介する構成となることで設定入力幅範囲内
に対し、必要定電圧出力の電力供給が行われることが可能になる形態であってもよい。（
図８参照）
【０００９】
好ましくは、請求項２記載のマイクロホンミキシング装置によれば、請求項1記載の前
記外部電源入力手段において、前記外部電源入力に接続されるＡＣ／ＤＣアダプター等の
出力を有する前記外部電源同様に、車両のシガーライターソケット，充電池，蓄電池等の
ような、ポータブル性を備える種々の前記外部電源をフレキシブルに着脱可能にしている
ことを特徴としている。
【００１０】
外部電源入力手段において、種々の外部電源に共通の出力（外部電源入力に着脱できる
サイズのプラグ）を備えることにより、外部電源入力に対し、接続される種々の外部電源
が（構成的に）着脱可能な態様となる。この効果（着脱可能な態様）と、請求項1記載の
電源安定装置の作用効果（電圧の異なる種々の外部電源からの電力受給が出来る状態が可
能）との組み合わせにより、これまで使用出来なかった外部電源を着脱可能とするフレキ
シブル性を有することが可能になる。つまり、ＡＣ／ＤＣアダプター，車両のシガーライ
ターソケット，充電池，蓄電池等のようなポータブル性を備える種々の外部電源からの電
力受給のフレキシブル化が可能になる。さらにこれにより、フレキシブルな場所での使用
も可能になり、ポータブル化の観点からも好ましい効果を有する。
【００１１】
本考案において、外部電源入力に接続されるＡＣ／ＤＣアダプター，車両のシガーライ
ターソケット，充電池，蓄電池等のようなポータブル性を備えた種々の外部電源の総称と
して、外部電源と記載する。
【００１２】
さらに好ましくは、請求項３記載のマイクロホンミキシング装置によれば、請求項1又
は請求項２記載の前記マイクロホン入力を有する前記マイクロホン入力手段において、前
記マイクロホンの出力（挿入部）の接続又は未接続を検知し、前記マイクロホンミキシン
グ装置の電源のオンオフ状態を切替える機能を有するマイクロホン挿入検知スイッチを備
えることを特徴としている。
【００１３】
マイクロホンミキシング装置の電源のオンオフ状態は、マイクロホン入力を有するマイ
クロホン入力手段へ備えるマイクロホン挿入検知スイッチが、マイクロホンの出力（プラ
グ）を未接続と検知時がオフであり、接続と検知時がオンである。マイクロホンミキシン
グ装置の電源がオン状態では、マイクロホン挿入検知スイッチがマイクロホンの出力（プ
ラグ）と接触状態になり、マイクロホンミキシング装置本体への電源からの電力供給が可
能になる。マイクロホンミキシング装置の電源がオフ状態では、マイクロホン挿入検知ス
イッチとマイクロホンの出力（プラグ）が接触されていない状態であり、マイクロホンミ
キシング装置本体への電源からの電力供給はされない。つまりマイクロホン挿入検知スイ
ッチによる、マイクロホンの出力（プラグ）の接続又は未接続を検知することが、マイク
ロホンミキシング装置本体の電源スイッチの役割を有する。電源スイッチ部位を新たに装
置本体に備えない為、本体外観の突起物を減らせられ、コンパクト化が可能になり、ポー
タブル性に必要な安全に取り扱えられることが可能になる。また、ポータブル性に必要な
魅力である見栄えを良くすることが可能になる。これらによるコンパクトかつ機能性を保
持したままでの簡素化による軽量化により、さらに優れるポータブル性を有することが可
能になる。
【００１４】
さらに好ましくは、請求項４記載のマイクロホンミキシング装置によれば、請求項１な
いし請求項３のうちいずれか1つに記載の前記外部電源入力を有する前記外部電源入力手
段において、前記外部電源の出力（挿入部）の接続又は未接続を検知し、前記内部電源と
前記外部電源の電源供給元を切り替える機能を有する外部電源挿入検知スイッチを備える
ことを特徴としている。
【００１５】
マイクロホンミキシング装置本体の電源がオンの状態時に、外部電源入力を有する外部
電源入力手段に備える外部電源挿入検知スイッチが、外部電源の出力（プラグ）の接続を
検知した場合、外部電源より電力供給される。この時外部電源挿入検知スイッチの検知ス
イッチは外れ（オープン状態）内部電源からの電力供給は遮断される。また、未接続を検
知した場合、外部電源挿入検知スイッチは外れず（クローズ状態）、外部電源の電力供給
は遮断する状態になり、内部電源より電力供給される。外部電源挿入検知スイッチが、外
部電源の出力（プラグ）の未接続を検知した場合が内部電源を使用する状態であり、接続
を検知した場合は外部電源を使用する状態に切り替わる機能を有する。
【００１６】
マイクロホンミキシング装置本体の電源がオンの状態時に、外部電源挿入検知スイッチ
が外部電源のプラグの未接続を検知し内部電源を使用する際、劣化による電圧低下，消耗
更に設置されていない等（これらに限らず）により内部電源から通電されない場合、内部
電源と外部電源よる電力供給はともにされない。
【００１７】
マイクロホンミキシング装置本体の電源がオフの状態では、内部電源と外部電源ともに
動作はしない。外部電源挿入検知スイッチによる外部電源の出力（プラグ）の未接続を検
知した場合は内部電源の優位状態であり、接続を検知した場合は外部電源の優位状態であ
る。つまり、外部電源挿入検知スイッチは外部電源の出力（プラグ）の接続の検知状態に
より、内部電源と外部電源の電力供給元の切り替えスイッチの役割を有する。よって、切
り替えスイッチ部位を新たに装置本体に備えない為、本体外観も突起物を減らすことが出
来、ポータブル性に必要な安全に取り扱えられることが可能になる。また、ポータブル性
に必要な魅力である見栄えを良くすることが可能になる。これらによるコンパクトかつ、
機能性を保持したままでの簡素化による軽量化により、さらにポータブル性に優れる態様
が可能になる。
【００１８】
さらに好ましくは、請求項５記載のマイクロホンミキシング装置によれば、請求項１な
いし請求項４のうちいずれか1つに記載の前記ボリューム調整において、スライド抵抗よ
りスペースをとらない可変抵抗器のひとつである回転式のボリュームを備えることを特徴
としている。
【００１９】
スライドボリュームは、レベル調整レバーをスライドさせる為にレベル調整用の操作幅
を確保する必要があり、操作溝に埃が溜まりやすく故障や接触不良の原因になっていた。
さらに調整レバーは突起している。本考案の課題であるコンパクト，フレキシブル，ポー
タブル性の観点から、これらの課題を解消できる回転式のボリュームを備える。回転式ボ
リュームを備えることによりスライドボリュームに対し、前後の抵抗値がどの角度でも誤
差が少ない操作性が可能になる。また、レベル調整の操作幅の確保の必要がないコンパク
トな態様が可能になる。さらに密閉構成であることから、埃の進入、接触不良等が回避し
やすくなることが可能になり、安全性を高めることが可能になる。故障時等のアフターに
も、入手と交換とが容易に出来る事が可能になる。そして、突起していない又は、突起し
て稼動しない態様であることにより、さらに安全性を高めるコンパクトな態様が可能にな
る。よって、より安全に取り扱えられるコンパクトな態様により、さらに優れたポータブ
ル性が可能となる。
【００２０】
さらに好ましくは、請求項６記載のマイクロホンミキシング装置によれば、請求項１な
いし請求項５のうちいずれか1つに記載の前記ＡＵＸライン手段において、前記ＡＵＸラ
イン入力と前記ＡＵＸライン出力それぞれにＲＣＡジャックの半分のサイズのミニジャッ
クを備えることを特徴としている。
【００２１】
ＲＣＡジャックは、個々にステレオ機能を有する物ではなく、１個単体でモノラル機能
であり、ステレオ効果を有する為には２個使用する必要がある。本考案において、これら
を１個単体でステレオ効果を有するジャックの、さらにコンパクトなミニジャックを備え
る。ミニジャックを備えることにより本考案の課題に対し、マイクロホンミキシング装置
のサイズのコンパクト化が可能になる。さらに軽量化が可能になる。また、接続される配
線もシンプルになることから、安全性，ポータブル性に優れ、さらに魅力的である見栄え
を良くすることが可能になる。これらによりフレキシブルかつ、コンパクトなことによる
ポータブル性に優れる態様が可能になる。
【００２２】
さらに好ましくは、請求項７記載のマイクロホンミキシング装置によれば、請求項１な
いし請求項６のうちいずれか1つに記載の、前記マイクロホン入力手段において、前記マ
イクロホン入力にフォーンミニジャックを備えることを特徴としている。
【００２３】
フォーンミニジャックは、ステレオ効果を有するフォーンジャックより更にコンパクト
なジャックである。
【００２４】
フォーンミニジャックにより本考案の課題に対し、マイクロホンミキシング装置のサイ
ズのコンパクト化が可能になる。さらに軽量化が可能になる。よって、フレキシブルかつ
コンパクトであるポータブル性に優れる態様が可能になる。
【００２５】
さらに好ましくは、請求項８記載のマイクロホンミキシング装置によれば、請求項１な
いし請求項７のうちいずれか1つに記載の前記外部電源入力手段において、前記外部電源
入力にＤＣ電源ミニジャックを備えることを特徴としている。
【００２６】
ＤＣ電源ミニジャックにより本考案の課題に対し、マイクロホンミキシング装置のサイ
ズのコンパクト化が可能になる。さらに軽量化が可能になる。よって、フレキシブルかつ
コンパクトであるポータブル性に優れる態様が可能になる。
【００２７】
さらに好ましくは、請求項９記載のマイクロホンミキシング装置によれば、請求項１な
いし請求項８のうちいずれか1つに記載の前記外部電源入力手段において、前記外部電源
入力に接続される前記外部電源の出力に、ＤＣ電源ミニプラグを備えることを特徴として
いる。
【００２８】
ＤＣ電源ミニプラグは、ＤＣ電源ミニジャックに着脱可能なプラグである。これにより
マイクロホンミキシング装置本体への種々の外部電源からの電力供給のフレキシブル化が
可能になる。つまり、マイクロホンミキシング装置本体への外部電源のフレキシブル化が
可能になる。さらに外部電源において、コンパクト化と軽量化が可能になる。また、着脱
が容易であり、使用場所を選ばない等のフレキシブルかつ、コンパクトであるポータブル
性に優れる態様が可能になる。
【考案の効果】
【００２９】
カラオケ等にも使えられるようにし、フレキシブルかつ、コンパクトでありポータブル
性を備えるマイクロホンミキシング装置を提供することができる。
【図面の簡単な説明】
【００３０】
【図１】マイクロホンミキシング装置の構成例1を示す正面の斜視図である。
【図２】マイクロホンミキシング装置の構成例1を示す背面の斜視図である。
【図３】マイクロホンミキシング装置の構成例２を示す正面の斜視図である。
【図４】マイクロホンミキシング装置の構成例２を示す背面の斜視図である。
【図５】マイクロホンミキシング装置の電気回路構成を示すブロック図である。
【図６】マイクロホンミキシング装置の動作手順を示すフローチャートである。
【図７】マイクロホンミキシング装置の電源安定装置の入出力特性を示すグラフ図である。
【考案を実施するための形態】
【００３１】
以下、本考案にかかる実施形態において、図を用いて説明する。本体１８ａ（図１，図
２参照）、外部電源１９ (図示省略)から構成される。
【００３２】
本体１８ｂ（図３，図４参照）については、マイクロホン入力を複数設備しても増幅機
能を有するマイクアンプ５の特性を活かし、本体１８ａ（図１，図２参照）にマイクロホ
ン入力８から１１まで増設され、それら個々にボリューム１４から１７が設けられた一例
であり実施の形態はこれに限定されない。
【００３３】
本考案において、図示は省略しているが外部電源入力１に接続される外部電源のバリエ
ーションとしては、ＡＣ／ＤＣアダプター１９ａ，車両のシガーライターソケット１９ｂ
さらに、外付け電池１９ｃ，外付け充電池１９ｄ，外付け蓄電池１９ｅ，ソーラー充電池
１９ｆ，ソーラー蓄電池１９ｇ，ソーラーパネルやソーラーシートと取りつけられる外付
け充電池１９ｈ，ソーラーパネルやソーラーシートと取りつけられる外付け蓄電池１９ｉ
その他の充電池１９ｊ，その他の蓄電池１９ｋ，その他の外部電源等１９ｌのようなもの
があり、ポータブル性を備える種々の外部電源の総称として、外部電源１９と記載する。
また、外部電源のバリエーションは、電源安定装置３を介することにより必要定電圧を有
する及び／又は必要定電圧の出力を有しポータブル性を備える態様であればこれらに限定
されない。
【００３４】
本体１８ａの外観構成は、ＡＵＸライン入力６とＡＵＸライン出力７と外部電源入力１
とマイクロホン入力８，９とボリューム１４，１５が備えられる。（図１，図２参照）
【００３５】
本体１８ａの内部構成は、外部電源入力１、外部電源挿入検知スイッチ２、電源安定装
置３、内部電源４、マイクアンプ５、ＡＵＸライン入力６、ＡＵＸライン出力７、マイク
ロホン入力８，９、マイクロホン挿入検知スイッチ１２，１３、ボリューム１４，１５が
備えられる。（図５参照）
【００３６】
本体１８ａの構成について説明する。（図５参照）
【００３７】
外部電源入力１は、請求項８に記載のＤＣ電源ミニジャック１である。請求項９記載の
ＤＣ電源ミニプラグを介して、種々の外部電源１９のいずれかより電力供給を受ける。
【００３８】
外部電源挿入検知スイッチ２は、ＤＣ電源ミニプラグ挿入検知スイッチ２である。外部
電源１９の接続が検知されると、ＤＣ電源ミニプラグ挿入検知スイッチ２は外れオープン
状態とされ、内部電源４からの電力供給は遮断され、外部電源１９から電力供給を受ける
状態になる。外部電源１９が未接続の通常状態では、ＤＣ電源ミニプラグ挿入検知スイッ
チ２は外れずクローズ状態とされ、内部電源４より電力供給を受ける状態になる。よって
ＤＣ電源ミニプラグ挿入検知スイッチ２は、ＤＣ電源ミニジャック１を介して電力供給さ
れる外部電源１９と、内部電源４についての電力供給元の切り替えの役割を有する態様に
なる。
【００３９】
電源安定装置３では、設定入力幅範囲内に対し、種々の入力電圧の異なる外部電源１９
が定電圧に整流し出力される。図８記載の電源安定装置の入出力特性グラフ図によると、
入力電圧がＤＣ２．５Ｖから出力が立ち上がり、入力電圧がＤＣ１４．５Ｖから３５Ｖの
範囲で出力電圧はＤＣ１２Ｖの定電圧になる特性が図示される。よって種々の電圧の異な
る外部電源１９を定電圧に整流されることが可能になる。（図８参照）
【００４０】
内部電源４は、外部電源１９と同様に、マイクアンプ５が電力供給を受ける為の電源で
ある。必要定電圧出力を有していれば、乾電池，年々小型軽量化にある蓄電池や充電池等
いずれでも良く限定しない。
【００４１】
必要定電圧出力を有していない内部電源４であれば、電源安定装置３を介する構成とさ
れることにより、設定入力幅範囲内に対し、必要定電圧出力の電力供給が可能になる。た
だし、設定入力幅範囲内に対し図８参照に満たされており、本考案にかかるマイクロホン
ミキシング装置における必要定電圧出力の電力供給を有することが前提とされる。（図８
参照）
【００４２】
マイクアンプ５について説明をする。マイクロホンが複数使用される際、電気信号が低
下されるが、マイクアンプ５はこの低下された電気信号を増幅させる機能を有する。よっ
て、内部電源４又は外部電源１９からの電力供給が必要とされる。
【００４３】
ＡＵＸライン入力６とＡＵＸライン出力７とを有するＡＵＸライン手段における、ＡＵ
Ｘラインは現代ニーズに合わせたステレオ機能を有する。
【００４４】
ＡＵＸライン手段のＡＵＸライン入力６とＡＵＸライン出力７とに備えられたミニジャ
ックはそれぞれステレオ機能を有する３極の接点端子であり、１極はミュージック信号の
マイナス側のラインへと繋げられ、他２極はＬとＲのプラス側のラインへと繋げられる。
【００４５】
ＡＵＸライン入力６は、ＡＵＸライン出力７と（ＡＵＸ）ラインを介し、直結をされて
いる。マイクロホンより電気信号が入力されていない未接続状態（後述する、本体１８ａ
の電源スイッチがオフの状態）であっても関係はなく、ＡＵＸライン入力６（に繋がるコ
ンテンツ機器，デバイス等）とＡＵＸライン出力７（に繋がる外部出力機器，ＦＭトラン
スミッター，デバイス等）を有するＡＵＸライン手段のＡＵＸラインは、使用が可能であ
る。
【００４６】
マイクロホンより電気信号が入力されている接続状態の場合は、ＡＵＸライン入力６と
ＡＵＸライン出力７とを有するＡＵＸライン手段のＡＵＸラインに電気信号は、ミキシン
グされＡＵＸライン出力７より出力される。
【００４７】
ＡＵＸライン入力６とＡＵＸライン出力７は、マイクロホン入力８，９に備えられたジ
ャックと同一ジャックのステレオ仕様のミニジャックが使用されるが動作効果は異なる。
【００４８】
従来のマイクロホン入力のジャックは２極の接点端子であり、１極は電気信号のマイナ
ス側のラインに繋げられ、１極はＬとＲのいずれかがプラス側のラインへと繋げられてい
る。本考案のマイクロホン入力８，９のジャックは３極の接点端子であり、うち１極の接
点端子８ｂ，９ｂは電気信号のマイナスの側のラインであり、本体１８ａ内部の各部位へ
繋げられる。もう１極の接点端子８ａ，９ａは電気信号のプラスの側のラインであり、入
力されるマイクロホンからの電気信号を、ボリューム１４，１５を通しマイクアンプ５へ
受ける。更にもう１極の接点端子１２，１３は、内部電源４又は外部電源１９の電源のマ
イナス側のラインであり、マイクロホン挿入検知スイッチ１２，１３とされる。本考案の
ジャックの３極の接点端子のステレオ機能は、モノラル機能として使用される。
【００４９】
マイクロホン入力８，９は、請求項７記載のフォーンミニジャック８，９である。
【００５０】
マイクロホン挿入検知スイッチ１２，１３は、フォーンミニプラグ挿入検知スイッチ１
２，１３であり、フォーンミニジャック８，９へ備えられ、これによりマイクロホンの出
力（プラグ）の着脱状態は検知される。
【００５１】
フォーンミニジャック８，９へ接続されるマイクロホンの出力（プラグ）と接触状態と
なることでフォーンミニプラグ挿入検知スイッチ１２，１３は、８ｂ，９ｂと接触し（接
続を検知し）、電源から電力供給がされ本体１８ａはオン状態になる。フォーンミニジャ
ック８，９へ未接続であるマイクロホンの出力（プラグ）と非接触状態であることでフォ
ーンミニプラグ挿入検知スイッチ１２，１３は、８ｂ，９ｂと接触せず（未接続を検知し
）、電源から電力供給はされず本体１８ａはオフ状態になる。つまり、フォーンミニプラ
グ挿入検知スイッチ１２，１３は、フォーンミニジャック８，９とマイクロホンの出力（
プラグ）との接続又は未接続を検知し、電源からの電力供給のオンオフ状態を切り替える
本体１８ａの電源スイッチの役割を有する。
【００５２】
ボリューム１４，１５は、回転式のボリュームである。外部接続機器よりＡＵＸライン
入力６を介して、ＡＵＸライン手段のＡＵＸライン上へ入力されたミュージック信号を害
さないように、ＡＵＸライン手段のＡＵＸラインにミキシングされる電気信号のレベル調
整を可能とする為に備えられたボリューム１４，１５である。
【００５３】
次に、本体１８ａの動作手順について、図６のフローチャートを用いて説明する。
【００５４】
本体１８ａは、内部電源４又は外部電源１９からの電力供給に基づいて駆動する。主に
検知動作を行うステップは、ステップＳ１、ステップＳ３であり、ステップＳ５もそうで
ある。これらの動作により、各構成要素部位が働く態様である。
【００５５】
ステップＳ１では、ＤＣ電源ミニジャック１を介して電力供給をする種々の外部電源の
うちいずれか１つの外部電源１９と、内部電源４についての電力供給元の切り替えの役割
を有するＤＣ電源ミニプラグ挿入検知スイッチ２の動作を示す。ステップＳ１で、ＤＣ電
源ミニプラグ挿入検知スイッチ２がＤＣ電源ミニプラグを、検知した場合はステップＳ２
へ進められ、未検知の場合はステップＳ６へ進められる。
【００５６】
ＤＣ電源ミニプラグ挿入検知スイッチ２がＤＣ電源ミニプラグを未検知の場合は、本体
１８ａは内部電源４から電力供給を受け、検知の場合は、外部電源１９から電力供給を受
ける。ただし、切り替えられた電源が、設備されていない，消耗，寿命，充電不良，蓄電
不良，接触不良等，その他のような問題等の電力供給できない状態であればこれらに限定
されず、内部電源４，外部電源１９に問わずともに通電しない。また外部電源１９の場合
は、本体１８ａと外部電源１９を介するＤＣ電源ミニジャック１とＤＣ電源ミニプラグと
の接触不良や故障時も通電はせず、又ＡＣ／ＤＣアダプター１９ａ等がコンセントに未接
続の場合、車両のシガーライターソケット１９ｂが未動作の場合等も通電しない。通電し
ない動作状況はこれらに限定されない。
【００５７】
以上よりステップＳ２に進められた場合は、電源安定装置３により設定入力幅範囲内に
対し、種々の入力電圧の異なる外部電源１９を定電圧に整流することが可能であり、ステ
ップＳ３へ進められる。ステップＳ６へ進められた場合は、電源が、設備されていない，
消耗，寿命，充電不良，蓄電不良，接触不良，その他の問題等のような状態であれば、本
体１８ａは内部電源４より電力供給を受けられず、何処からも電力供給を受けないことか
ら、ステップ７へ進められる。電源が前述する状態のような問題がない場合は、内部電源
４から電力供給を受けることとなり、ステップＳ３へ進められる。
【００５８】
ステップＳ３についての動作を示す。ステップ３は、フォーンミニジャック８，９に備
えた、マイクロホンの出力（プラグ）の接続又は未接続を検知し、本体１８ａの電源スイ
ッチの役割を有するフォーンミニプラグ挿入検知スイッチ１２，１３の動作によるもので
マイクロホンの出力（プラグ）の接続を検知した場合は本体１８ａの電源がオン状態にな
り、未接続を検知した場合は本体１８ａの電源がオフ状態である。本体１８ａの電源がオ
ン状態では、フォーンミニプラグ挿入検知スイッチ１２，１３がマイクロホンの出力（プ
ラグ）と接触状態により、フォーンミニプラグ挿入検知スイッチ１２，１３と８ｂ，９ｂ
とが接触し（検知し）本体１８ａへの電源からの電力供給が可能になる。本体１８ａの電
源がオフ状態では、フォーンミニプラグ挿入検知スイッチ１２，１３とマイクロホンの出
力（プラグ）が非接触状態であり、フォーンミニプラグ挿入検知スイッチ１２，１３と８
ｂ，９ｂとは接触せず（検知せず）本体１８ａへの電源からの電力供給はしない。
【００５９】
フォーンミニプラグ挿入検知スイッチ１２，１３は、どちらか片方でもマイクロホンの
出力（プラグ）を検知すれば、本体１８ａへの電源はオン状態になる。図３，図４に示す
フォーンミニジャック８から１１のような増設の場合であっても同様であり、増設の数に
限定せず、いずれかのフォーンミニジャックが検知をすれば、マイクロホンミキシング装
置本体への電源はオン状態になる。
【００６０】
以上よりステップＳ３に進められた場合は、フォーンミニプラグ挿入検知スイッチ１２
，１３が、マイクロホンの出力（プラグ）の接続を検知した場合はステップＳ４へ、未接
続を検知した場合はステップＳ７へ進められる。
【００６１】
そして、それぞれに進められたステップＳ４とステップＳ７は、共にマイクアンプ５に
関する。図示するようにステップＳ４では、マイクアンプ５が作動する。ステップＳ７で
は、マイクアンプ５は作動しない。つまり、ステップＳ７では本体１８ａの電源が入って
いない状態を示し、この時外部電源１９又は内部電源４からの電力受給が可能な状態であ
っても作動はしない。
【００６２】
以上により、進められたステップＳ４は、マイクアンプ５の動作を示す。マイクロホン
が複数使用される際、電気信号が低下するが、マイクアンプ５はこの低下した電気信号を
増幅させる機能を有する。その為、図３，図４に示すフォーンミニジャック（８から１１
）のような増設が可能になる。図３，図４は一例であり増設の数はこれらに限定しない。
【００６３】
以上の機能を有するマイクアンプ５より、ステップＳ５へ進められる。
【００６４】
以上により進められたステップＳ５は、電気信号レベル調整に関する。外部接続機器よ
り、ＡＵＸライン入力６を介してＡＵＸライン上へ入力されるミュージック信号を害さな
いように、ＡＵＸラインにミキシングする電気信号のレベル調整を可能とするボリューム
１４，１５を備える。ボリューム１４，１５は回転式であり、スライド抵抗よりスペース
をとらない可変抵抗器である。
【００６５】
以上のように電気信号は、ＡＵＸライン入力６とＡＵＸライン出力７を有するＡＵＸラ
インへ出力、ミキシングし、ステップＳ９へ進められる。
【００６６】
先に、ＡＵＸラインについて説明をする。ＡＵＸラインはＡＵＸライン入力６とＡＵＸ
ライン出力７とを備え、現代ニーズに合わせたステレオ機能を有する。マイクロホンから
の電気信号の入力のない未接続状態でも関係はなく使用が可能である。
【００６７】
以上により進められたステップＳ９については、電気信号はＡＵＸライン上でミキシン
グされステレオ機能を有し、ＡＵＸライン出力７を介して接続される種々の外部出力機器
，ＦＭトランスミッター，各種デバイス等に出力する。接続される種々の外部出力機器は
これらに限定しない。
【００６８】
ステップＳ８を説明する。ＡＵＸライン入力６を介して、接続される種々のコンテンツ
機器、音楽再生機器、各種デバイス等からのミュージック信号は、ステレオ機能を有する
ＡＵＸライン上に入力する。ＡＵＸライン入力６を介して接続される機器等は、これらに
限定しない。
【００６９】
本考案は、この実施の形態に限定されない。例えば着脱される種々の外部電源は、実施
の形態の一例であり、必要定電圧出力を有し、ポータブル性を備えていればこれらに限定
しない。
【符号の説明】
【００７０】
１              外部電源入力  
２              外部電源挿入検知スイッチ
３              電源安定装置
４              内部電源
５              マイクアンプ
６              ＡＵＸライン入力
７              ＡＵＸライン出力
８から１１      マイクロホン入力
１２，１３      マイクロホン挿入検知スイッチ
１４から１７    ボリューム
１８ａ，１８ｂ  本体
１９            外部電源
１９ａ          ＡＣ／ＤＣアダプター
１９ｂ          車両のシガーライターソケット
１９ｃ          外付け電池
１９ｄ          外付け充電池
１９ｅ          外付け蓄電池
１９ｆ          ソーラー充電池
１９ｇ          ソーラー蓄電池
１９ｈ          ソーラーパネルやソーラーシートと取りつけられる外付け充電池
１９ｉ          ソーラーパネルやソーラーシートと取りつけられる外付け蓄電池
１９ｊ          その他の充電池
１９ｋ          その他の蓄電池
１９ｌ          その他の外部電源等
【図１】
0003158381.tif 000003
【図２】
0003158381.tif 000004
【図３】
0003158381.tif 000005
【図４】
0003158381.tif 000006
【図５】
0003158381.tif 000007
【図６】
0003158381.tif 000008
【図７】
0003158381.tif 000009
【手続補正書】
【提出日】平成21年12月22日(2009.12.22)
【手続補正１】
【補正対象書類名】実用新案登録請求の範囲
【補正対象項目名】全文
【補正方法】変更
【補正の内容】
【実用新案登録請求の範囲】
【請求項１】
持ち運びに困難であり、場所を取り、使い勝手が良くないという問題を有していた従来
の種々のマイクロホンミキシング装置より、ポータブル性を備えるのに必要な部分だけ取
り出されたものが、マイクロホン入力を有するマイクロホン入力手段と、マイクロホンを
複数接続しても増幅機能を有するマイクアンプと、前記マイクロホン入力に個々に設けら
れるボリューム調整と、ＡＵＸライン入力・ＡＵＸライン出力を有するＡＵＸライン手段
と、内部電源手段と、外部電源入力を有する外部電源入力手段とであり、これらを備え、
入力電圧の異なる外部電源を定電圧に整流する電源安定装置を備えることを特徴とするマ
イクロホンミキシング装置。
【請求項２】
前記外部電源入力手段において、前記外部電源入力に接続されるＡＣ／ＤＣアダプター
，車両のシガーライターソケット，外付け電池，外付け充電池，外付け蓄電池，ソーラー
充電池，ソーラー蓄電池，ソーラーパネルやソーラーシートと取りつけられる外付け充電
池，ソーラーパネルやソーラーシートと取りつけられる外付け蓄電池，その他の充電池，
その他の蓄電池，その他の外部電源のようなポータブル性を備える種々の外部電源をフレ
キシブルに着脱可能にしていることを特徴とする請求項1記載のマイクロホンミキシング
装置。
【請求項３】
前記マイクロホン入力を有する前記マイクロホン入力手段において、前記マイクロホン
の出力の接続又は未接続を検知し、前記マイクロホンミキシング装置の電源のオンオフ状
態を切替える機能を有するマイクロホン挿入検知スイッチを備えることを特徴とする請求
項1又は請求項２記載のマイクロホンミキシング装置。
【請求項４】
前記外部電源入力を有する前記外部電源入力手段において、前記外部電源の出力の接続
又は未接続を検知し、前記内部電源と前記外部電源の電源供給元を切替える機能を有する
外部電源挿入検知スイッチを備えることを特徴とする請求項１ないし３のいずれか1項に
記載のマイクロホンミキシング装置。
【請求項５】
前記ボリューム調整において、スライド抵抗よりスペースをとらない可変抵抗器のひと
つである回転式のボリュームを備えることを特徴とする請求項１ないし４のいずれか1項
に記載のマイクロホンミキシング装置。
【請求項６】
前記ＡＵＸライン手段において、前記ＡＵＸライン入力と前記ＡＵＸライン出力それぞ
れにＲＣＡジャックの半分のサイズのミニジャックを備えることを特徴とする請求項１な
いし５のいずれか1項に記載のマイクロホンミキシング装置。
【請求項７】
前記マイクロホン入力手段において、前記マイクロホン入力にフォーンミニジャックを
備えることを特徴とする請求項１ないし６のいずれか1項に記載のマイクロホンミキシン
グ装置。
【請求項８】
前記外部電源入力手段において、前記外部電源入力にＤＣ電源ミニジャックを備えるこ
とを特徴とする請求項１ないし７のいずれか1項に記載のマイクロホンミキシング装置。
【請求項９】
前記外部電源入力手段において、前記外部電源入力に接続される前記外部電源の出力に
、ＤＣ電源ミニプラグを備えることを特徴とする請求項１ないし８のいずれか1項に記載
のマイクロホンミキシング装置。
【手続補正書】
【提出日】平成22年2月2日(2010.2.2)
【手続補正１】
【補正対象書類名】実用新案登録請求の範囲
【補正対象項目名】全文
【補正方法】変更
【補正の内容】
【実用新案登録請求の範囲】
【請求項１】
マイクロホン入力を有するマイクロホン入力手段と、マイクロホンを複数接続しても増
幅機能を有するマイクアンプと、前記マイクロホン入力に個々に設けられるボリューム調
整と、ＡＵＸライン入力・ＡＵＸライン出力を有するＡＵＸライン手段と、内部電源手段
と、外部電源入力を有する外部電源入力手段と、入力電圧の異なる外部電源を定電圧に整
流する電源安定装置とを備えることを特徴とするマイクロホンミキシング装置。
【請求項２】
前記外部電源入力手段において、前記外部電源入力に接続されるＡＣ／ＤＣアダプター
，車両のシガーライターソケット，外付け電池，外付け充電池，外付け蓄電池，ソーラー
充電池，ソーラー蓄電池，ソーラーパネルやソーラーシートと取りつけられる外付け充電
池，ソーラーパネルやソーラーシートと取りつけられる外付け蓄電池，その他の充電池，
その他の蓄電池，その他の外部電源のようなポータブル性を備える種々の外部電源をフレ
キシブルに着脱可能にしていることを特徴とする請求項1記載のマイクロホンミキシング
装置。
【請求項３】
前記マイクロホン入力を有する前記マイクロホン入力手段において、前記マイクロホン
の出力の接続又は未接続を検知し、前記マイクロホンミキシング装置の電源のオンオフ状
態を切替える機能を有するマイクロホン挿入検知スイッチを備えることを特徴とする請求
項1又は請求項２記載のマイクロホンミキシング装置。
【請求項４】
前記外部電源入力を有する前記外部電源入力手段において、前記外部電源の出力の接続
又は未接続を検知し、前記内部電源と前記外部電源の電源供給元を切替える機能を有する
外部電源挿入検知スイッチを備えることを特徴とする請求項１ないし３のいずれか1項に
記載のマイクロホンミキシング装置。
【請求項５】
前記ボリューム調整において、スライド抵抗よりスペースをとらない可変抵抗器のひと
つである回転式のボリュームを備えることを特徴とする請求項１ないし４のいずれか1項
に記載のマイクロホンミキシング装置。
【請求項６】
前記ＡＵＸライン手段において、前記ＡＵＸライン入力と前記ＡＵＸライン出力それぞ
れにＲＣＡジャックの半分のサイズのミニジャックを備えることを特徴とする請求項１な
いし５のいずれか1項に記載のマイクロホンミキシング装置。
【請求項７】
前記マイクロホン入力手段において、前記マイクロホン入力にフォーンミニジャックを
備えることを特徴とする請求項１ないし６のいずれか1項に記載のマイクロホンミキシン
グ装置。
【請求項８】
前記外部電源入力手段において、前記外部電源入力にＤＣ電源ミニジャックを備えるこ
とを特徴とする請求項１ないし７のいずれか1項に記載のマイクロホンミキシング装置。
【請求項９】
前記外部電源入力手段において、前記外部電源入力に接続される前記外部電源の出力に
、ＤＣ電源ミニプラグを備えることを特徴とする請求項１ないし８のいずれか1項に記載
のマイクロホンミキシング装置。